【事件の表示】
　特許第３３９６４５７号「カードコネクタ」の請求項１ないし３に係る特許に対する特許異議の申立てについて、次のとおり決定する。
【結　論】
　特許第３３９６４５７号の請求項１ないし３に係る特許を維持する。
【理　由】
１．本件発明
　本件特許（特許第３３９６４５７号、平成１２年２月８日出願、平成１５年２月７日設定登録）の請求項１〜３に係る発明（以下、「本件発明１〜３」という。）は、特許請求の範囲の請求項１〜３に記載された事項により特定される次のとおりのものである。
請求項１「厚さ、大きさおよび該厚さ方向に対し略直交する平面部に形成されるコンタクトパッドの配置位置が異なる少なくとも２つの第１および第２のカードを保持するカードコネクタであって、
　第１のカードの両側面を案内する一対の第１の側壁によって画成される第１のカードを収容するための第１のカード収容部と、前記第２のカードの両側面を案内する一対の第２の側壁によって画成される第２のカードを収容するための第２のカード収容部と、前記第１のカード収容部および第２のカード収容部に連通し前記第１および第２のカードの着脱用の共通の開口部とを備えるコネクタハウジングと、
　前記コネクタハウジングの上板または下板の一方側に設けられ、該第１のカードのコンタクトパッドと接触する接点部を有する第１のコンタクト端子と、
　前記コネクタハウジングの他方側に設けられ、前記第２のカードのコンタクトパッドと接触する接点部を、該コネクタハウジングにおける前記第１のコンタクト端子の接点部の位置とは異なる前記第２のカードの着脱方向に沿った位置に有する第２のコンタクト端子と、
　を具備することを特徴とするカードコネクタ。」
請求項２「厚さ、大きさおよび該厚さ方向に対し略直交する平面部に形成されるコンタクトパッドの配置位置が異なる少なくとも２つの第１および第２のカードを保持するカードコネクタであって、
　第１のカードの両側面を案内する一対の第１の側壁によって画成される第１のカードを収容するための第１のカード収容部と、前記第２のカードの両側面を案内する一対の第２の側壁によって画成される第２のカードを収容するための第２のカード収容部と、前記第１のカード収容部および第２のカード収容部に連通し前記第１および第２のカードの着脱用の共通の開口部とを備えるコネクタハウジングと、
　前記コネクタハウジングの上板または下板の一方側における前記第１のカードのコンタクトパッドに対向する面に設けられ、該第１のカードのコンタクトパッドと接触する接点部を有する第１のコンタクト端子と、
　前記コネクタハウジングの前記第１のカードのコンタクトパッドに対向する面に設けられ、前記第２のカードのコンタクトパッドと接触する接点部を、該コネクタハウジングにおける前記第１のコンタクト端子の接点部の位置に対し前記第２のカードの着脱方向に沿って離隔し異なる位置に有する第２のコンタクト端子と、を具備することを特徴とするカードコネクタ。」
請求項３「前記第１のコンタクト端子および前記第２のコンタクト端子の接点部は、弾性的に変位することを特徴とする請求項１または請求項２に記載のカードコネクタ。」
　
２．特許異議申立ての概要
　特許異議申立人・土井みや子は、証拠方法として
甲第１号証（実願平４−１０１７５号（実開平６−１３０７１号）のＣＤ−ＲＯＭ）、
甲第２号証（実願平５−４８０２２号（実開平７−１８３８７号）のＣＤ−ＲＯＭ）、及び
甲第３号証（特開昭６２−１５６７８１号公報）
を提出し、
本件発明１は甲第１及び２号証に記載された発明に基づいて、又、本件発明２及び３は、甲第１〜３号証に記載された発明に基づいて当業者が容易に発明をすることができたものであるから、本件発明についての特許は特許法第２９条第２項の規定に違反してされたものである。したがって、本件発明についての特許は特許法第１１３条第２号に該当し、取り消されるべきものである旨主張していると認める。
　
３．各甲号証に記載の事項
（１）甲第１号証には、「コネクタ装置」に関し、図１〜６とともに以下のような記載がある。
・記載１−１
「データ記憶デバイスとして、メモリーカードとハードディスクドライブパッケージとのうちの少なくとも何れか一つが選択的に接続されるべきコネクタ装置であって、
ハウジングを備え、このハウジングの内部空間は、その高さ方向に沿って分割された複数の分割収納空間を含み、更にこの分割収納空間は、一つにつき一枚のメモリーカードが収納保持されるべき少なくとも二つの第１の分割収納空間と、一つにつき一台のハードディスクドライブパッケージが収納保持されるべき少なくとも一つの第２の分割収納空間とを含み、
前記ハウジングの一端に連結されたコネクタボディを備え、このコネクタボディは、第１の分割収納空間に収納されたメモリーカードに対して機械的且つ電気的に接続されるべき第１の接続部材と、第２の分割収納空間に収納されたハードディスクドライブパッケージに対して機械的且つ電気的に接続されるべき第２の接続部材とを有し、
第１と第２の分割収納空間の各々について互いに独立して作動可能に前記ハウジングに設けられた複数の接続／解除機構を備え、その各々の接続／解除機構は、前記ハウジングの側方へ突出すべきレバーと、このレバーの操作により、このレバーに対応する前記分割収納空間における前記接続部材とデータ記憶デバイスとを機械的且つ電気的に接続及び接続解除させる接続／解除手段とを有する、ことを特徴とするコネクタ装置。」（実用新案登録請求の範囲の請求項１）
・記載１−２
「本考案は例えばパーソナルコンピュータ、ラップトップコンピュータ、ノートブックコンピュータ等に接続すべきデータ記憶デバイスとして、メモリーカードとハードディスクドライブパッケージとを両用できるコネクタ装置に関する。」（段落【０００１】）
・記載１−３
「【実施例】
　以下の各図において、コネクタ装置及びデータ記憶デバイスの幅方向をＸ方向、長さ方向をＹ方向、厚み方向をＺ方向と定義する。
　図１において、本考案のコネクタ装置１は、ハウジング１２と、その長さ方向の一端に連結されたコネクタボディ１４とを備えている。
　これらハウジング１２とコネクタボディ１４とは、絶縁性材料、例えばプラスチックから形成されている。・・・
　ハウジング１２は、その両側面を規定する一対の側壁１６と、その上下面を規定する上部及び底部ハウジングプレート１８，２０を有する。ハウジング１２の他端は挿入口２２を有する。
　図２に示すように、挿入口２２に連通するハウジング１２の内部空間は、Ｚ方向に沿って第１と第２のデッキ２４，２６に区画されている。これら第１と第２のデッキ２４，２６の各々には、一枚のメモリーカードを収納可能であり、第１と第２のデッキ２４，２６を合わせてなるハウジング１２の内部空間には、一台のＨＤＤパッケージを収納可能である。
　従って、コネクタ装置１には、二枚のメモリーカード（適用例Ａ）、一台のＨＤＤパッケージ（適用例Ｂ）、一枚のメモリーカード（適用例Ｃ）の三通りの適用が可能である。
　コネクタボディ１４は、Ｚ方向に三組の導電金属製のピンコンタクト群を有する。即ち、第１デッキ２４におけるメモリーカードのＩ／Ｏコネクタに一端３６ａが嵌合すべき上段ピンコンタクト群３６と、第２デッキ２６におけるメモリーカードのＩ／Ｏコネクタに一端３８ａが嵌合すべき中段ピンコンタクト群３８と、ＨＤＤパッケージのＩ／Ｏコネクタに一端４０ａが嵌合すべき下段のピンコンタクト群４０とを有する。これらピンコンタクト群３６，３８，４０の他端３６ｂ，３８ｂ，４０ｂはインターフェース基板のような適宜な回路基板（図示せず）に接続される。
　図３に適用例Ａとして示す二枚のメモリーカード３の各々は、基本的にカード状デバイスにランダム  アクセス  メモリー（ＲＡＭ）を組み込んでなる。このメモリーカード３は代表的には不揮発性ＲＡＭであり、コンピュータシステムに一度データをロードした後は、コネクタ装置１から引き抜くことができる。このメモリーカード３の前面３ａには、コネクタ装置１のピンコンタクト群３６，３８が嵌合すべきＩ／Ｏコネクタ（図示せず）が設けられている。このメモリーカード３の最大幅は例えば５４ｍｍである。このメモリーカード３を一枚のみ用いた場合が適用例Ｃである。
　図３に適用例Ｂとして示すＨＤＤパッケージ４は、薄型ＨＤＤ、例えば１．８インチディスクドライブが収納された薄型のハウジング４１と、このハウジング４１が設置されたベースプレート４３とからなる薄型パッケージである。また、ベースプレート４３の前面４３ａには、コネクタ装置１の下段側のピンコンタクト群４０が嵌合すべきＩ／Ｏコネクタ（図示せず）が設けられている。
　ＨＤＤパッケージ４のベースプレート４３の寸法は例えば最大長８５ｍｍ×最大幅５４ｍｍ×最大高３ｍｍである。また、ハウジング４１の幅は５０．８ｍｍであり、ベースプレート４３の前端縁からハウジング４１のの前端縁までの長さは６ｍｍである。
　このようなＨＤＤパッケージ４は、メモリーカード３と同様な方式で使用できる。・・・　メモリーカードスロット２８間のＸ方向幅Ｗ1 は、メモリーカード３の幅（５４ｍｍ）であり、ＨＤＤスロット３０間のＸ方向幅Ｗ2 は、ＨＤＤハウジング４１の幅（５０．８ｍｍ）である。」（段落【００１２】〜【００２３】）
（２）甲第２号証には、「カードコネクタ」に関し、図１及び２とともに以下のような記載がある。
・記載２−１
「前端が開口した１つのカード挿入空間を有するボディと、上記カード挿入空間に表向きに挿入されたカードの表面に設けられている外部端子に弾接する第１コンタクトと、上記カード挿入空間に裏向きに挿入されたカードの表面に設けられている外部端子に弾接する第２コンタクトと、を有することを特徴とするカードコネクタ。」（実用新案登録請求の範囲）
・記載２−２
「このカードコネクタは、合成樹脂で作られて電気絶縁性を備えたボディ１を有し、このボディ１の内部に、前端が開口２１したカード挿入空間２が形成されている。ボディ１の後半部には上段側に２種類の接片部材３１，３２が、下段側に２種類の接片部材４１，４２が、それぞれ配列されている。」（段落【００１１】）
・記載２−３
「上記カードコネクタにおいて、ボディ１の上段側に配列されているコンタクト３１ａ，３２ａは本考案における第１コンタクトを形成しており、また、ボディ１の下段側に配列されているコンタクト４１ａ，４２ａは本考案における第２コンタクトを形成している。そして、第１コンタクトに属する前後の各コンタクト３１ａ，３２ａと、第２コンタクトに属する前後の各コンタクト４１ａ，４２ａがそれぞれ、カード９の表面９ａに設けられている外部端子９１，９２に対応している。」（段落【００１３】）
・記載２−４
「以上の構成を有するカードコネクタにおいて、たとえば図１に矢印Ｘで示したように、カード９を、その表面９ａを上にした表向きで、ボディ１のカード挿入空間２に挿入すると、カード９の外部端子９１，９２が第１コンタクトであるコンタクト３１ａ，３２ａに弾接する。また、同図に矢印Ｙで示したように、カード９を、その表面９ａを下にした裏向きで、ボディ１のカード挿入空間２に挿入すると、カード９の外部端子９１，９２が第２コンタクトであるコンタクト４１ａ，４２ａに弾接する。
　したがって、上記のカードコネクタにおいては、１枚のカード９に２種類の情報が記憶されているような場合においては、その情報の１つを第１コンタクトであるコンタクト３１ａ，３２ａを介して機器本体側に取り出し、他の情報を第２コンタクトであるコンタクト４１ａ，４２ａを介して機器本体側に取り出すことができる。また、第１コンタクトであるコンタクト３１ａ，３２ａと第２コンタクトであるコンタクト４１ａ，４２ａとを機器本体側の共通の処理回路に接続しておくと、カード９を表向きに挿入しても裏向きに挿入してもそのカード９に記憶された情報を取り出すことができるようになる。
　上記カードコネクタは、２枚の異なる種類のカードを使用対象にすることも可能である。すなわち、１枚のカードの情報を第１コンタクトを介して機器本体側に取り出し、他のカードの情報を第２コンタクトを介して機器本体側に取り出すようにすることが可能である。」（段落【００１５】〜【００１７】）
（３）甲第３号証には、「小型電子機器」に関し、第１〜７図とともに以下のような記載がある。
・記載３−１
「メモリカードを装着してこのメモリカードとのデータの授受を行なう小型電子機器において、機器本体の一個所に、メモリカードを着脱可能に保持するカードホルダを前記機器本体内に格納可能に設け、このカードホルダに、外形および外部接続端子の位置が異なる複数種のメモリカードをそれぞれ位置決め収納する複数のカード収納部をその面積領域の少なくとも一部分を重複させて形成するとともに、前記機器本体のカードホルダ格納部に、前記カードホルダに保持されて機器本体内に装着される前記複数種のメモリカードの各外部接続端子とそれぞれ対応するメモリカード接続端子を設けたことを特徴とする小型電子機器。」（特許請求の範囲）
・記載３−２
「この発明は、機器本体の一個所に、メモリーカードを着脱可能に保持するカードホルダを機器本体内に格納可能に設け、このカードホルダに、外形および外部接続端子の位置が異なる複数種のメモリカードをそれぞれ位置決め収納する複数のカード収納部をその面積領域の少なくとも一部分を重複させて形成するとともに、前記機器本体のカードホルダ格納部に、前記カードホルダに保持されて機器本体内に装着される複数種のメモリカードの各外部接続端子とそれぞれ対応するメモリカード接続端子を設けたものであり、この発明によれば、外形および外部接続端子の位置が異なる複数種のメモリカードを同じカードホルダに保持させて機器本体に装着することができるために、機器本体の複数箇所にメモリカードの装着部を設ける必要はないから、機器全体の小型化をはかることができる。」（第２頁左下欄第７行〜右下欄第３行）
・記載３−３
「前記カードホルダ１１はＩＣカード３０とＲＡＭカード４０とを着脱可能に保持するもので、このカードホルダ１１は合成樹脂からなる第１図に示すような形状のものとされており、その上面には、ＩＣカード３０を収納する第１のカード収納凹部１２ａとＲＡＭカード４０を収納する第２のカード収納凹部１２ｂとの２つのカード収納凹部が形成されている。
　ここでＩＣカード３０とＲＡＭカード４０について説明すると、ＩＣカード３０は、第６図に示すような形状のもので、このＩＣカード３０内にはＩＤ情報（カード名、登録番号、暗証番号等）を記憶するＩＤメモリおよび買掛け金額や医療カルテ等を記憶するトランザクションデータメモリを構成したＩＣチップが内蔵されており、またこのＩＣカード３０の一面には、前記ＩＣチップと接続された複数の外部接続端子３１，３１が例えば二列に配列されている。このＩＣカード３０はＪＩＳ規格によって大きさを規定されているもので、このＩＣカード３０寸法は、縦８５．５mm×横５４mm×厚さ０．８ｍｍとなっている。また、ＲＡＭカード４０は第７図に示すような形状のもので、このＲＡＭカード４０内にはＲＡＭチップと電源電池が内蔵されており、このＲＡＭカード４０の一面に形成された開口部には前記ＲＡＭチップと接続された複数の外部接続端子４１，４１が一列に配列されている。このＲＡＭカード４０は、例えば縦６０mm×横４５mm×厚さ３．５ｍｍのもので、このＲＡＭカード４０は、平面寸法はＩＣカード３０より小さいが、厚さは電源電池を内蔵している関係上ＩＣカード３０よりはるかに厚くなっている。」（第３頁右上欄第１１行〜右下欄第２行）
・記載３−４
「一方、機器本体１のカードホルダ格納空間１０には、その上部に、カードホルダ１１の第１のカード収納凹部１２ａに収納保持されてカードホルダ１１の押込み格納により機器本体１内に装着されるＩＣカード３０の各外部接続端子３１，３１とそれぞれ対応する複数のＩＣカード接続端子１６，１６と、カードホルダ１１の第２のカード収納凹部１２ｂに収納保持されてカードホルダ１１の押込み格納により機器本体１内に装着されるＲＡＭカード４０の各外部接続端子４１，４１とそれぞれ対応する複数のＲＡＭカード接続端子１７が設けられている。前記ＩＣカード接続端子１６，１６は、導電性ボールからなっており、この各ＩＣカード接続端子１６，１６は、カードホルダ格納空間１０の上面を形成している仕切板１０ａに設けた貫通孔１８，１８内に上下動可能に保持されており、導電性のコイルばね１９，１９を介して配線基板２面のＩＣカード接続電極と接続されている。この各ＩＣカード接続端子１６，１６は、前記コイルばね１９，１９のばね力によってカードホルダ格納空間１０内に突出させられており、カードホルダ１１に保持されて装着されるＩＣカード３０の各外部接続端子３１，３１に第４図に示すように接触するようになっている。また、前記ＲＡＭカード接続端子１７は板ばねからなっており、このＲＡＭカード接続端子１７の基端部は配線基板２に固定されて配線基板２面のＲＡＭカード接続電極に接続されている。このＲＡＭカード接続端子１７は、前記仕切板１０ａに設けた開口２０からカードホルダ格納空間１０内に突出しており、カードホルダ１１に保持されて装着されるＲＡＭカード４０の各外部接続端子４１，４１に第５図に示すように接触するようになっている。」（第４頁右下欄第１行〜第５頁左上欄第１４行）
・記載３−５
「またＲＡＭカード４０を位置決め収納する第２のカード収納凹部１２ｂは、その全体を第１のカード収納凹部１２ａの面積領域に重複させて形成してもよい。」（第６頁左下欄第２〜５行）
　
４．対比・判断
（１）本件発明１について
　本件発明１と甲第１号証記載の発明を対比すると、
両者は少なくとも以下の点で相違する。
相違点１：本件発明１は、「厚さ、大きさおよび該厚さ方向に対し略直交する平面部に形成されるコンタクトパッドの配置位置が異なる少なくとも２つの第１および第２のカードを保持するカードコネクタであって、」
「前記コネクタハウジングの上板または下板の一方側に設けられ、該第１のカードのコンタクトパッドと接触する接点部を有する第１のコンタクト端子と、
　前記コネクタハウジングの他方側に設けられ、前記第２のカードのコンタクトパッドと接触する接点部を、該コネクタハウジングにおける前記第１のコンタクト端子の接点部の位置とは異なる前記第２のカードの着脱方向に沿った位置に有する第２のコンタクト端子と、を具備する」のに対し、
甲第１号証記載の発明は、メモリーカード３とハードディスクドライブパッケージ（ＨＤＤパッケージ）４に接続されるべきコネクタ装置１であって、
メモリーカード３の前面３ａに、コネクタ装置１のピンコンタクト群３６，３８が嵌合すべきＩ／Ｏコネクタが設けられ、
ＨＤＤパッケージ４は、薄型ＨＤＤが収納された薄型のハウジング４１が設置されたベースプレート４３の前面４３ａに、コネクタ装置１の下段側のピンコンタクト群４０が嵌合すべきＩ／Ｏコネクタが設けられ、
コネクタ装置１は、ハウジング１２と、その長さ方向の一端に連結されたコネクタボディ１４とを備え、
コネクタボディ１４は、三組の導電金属製のピンコンタクト群を有する点。
　
　以下、相違点１について検討する。
　甲第２号証には、１枚のカード９に２種類の情報が記憶されているような場合において、前端が開口した１つのカード挿入空間を有するボディ１の上段側に、表向きに挿入されたカードの表面に設けられている外部端子に弾接する第１コンタクト３１ａ，３２ａを配列し、下段側に、裏向きに挿入されたカードの表面に設けられている外部端子に弾接する第２コンタクト４１ａ，４２ａを配列することで、２種類の情報が取り出せるようにしたカードコネクタが記載され、さらに２枚の異なる種類のカードを使用対象にし、１枚のカードの情報を第１コンタクトを介して機器本体側に取り出し、他のカードの情報を第２コンタクトを介して機器本体側に取り出すようにすることが可能である旨も記載されている。
　しかしながら、甲第１号証記載の発明は、メモリーカード３とＨＤＤパッケージ４に接続されるべきコネクタ装置１であり、メモリーカード３とＨＤＤパッケージ４の前面に設けられるＩ／Ｏコネクタ嵌合される、コネクタ装置１の長さ方向の一端に設けられたピンコンタクト群を有するものであって、２種類のカードの対応するものではなく、コネクタ装置１に設けられるピンの位置も、甲第２号証記載の発明とも本件発明１とも異なっている。
　甲第２号証には２種類のカードに対応する旨の記載があり、カード挿入空間を有するボディ１の上段側および下段側に、カードの表面に設けられている外部端子に弾接する第１及び第２のコンタクトを有することが示されているものの、そもそも１つのカードに記憶された２種類の情報を表裏の挿入により取り出せるようにしたカードコネクタであって、「厚さ、大きさおよび該厚さ方向に対し略直交する平面部に形成されるコンタクトパッドの配置位置が異なる」２つのカードに対応するための構成を示唆するものではない。
　そうすると、甲第１号証記載の発明に、甲第２号証記載の発明を適用して、本件発明１について当業者が容易に発明をすることができたとすることはできない。
　また、甲第３号証記載の発明は、ＩＣカードとＲＡＭカードを着脱可能に保持するカードホルダをカードホルダ格納空間１０に設け、複数種のメモリカードの各外部接続端子とそれぞれ対応するメモリカード接続端子を設けたものであって、直接カードをカードホルダ格納空間１０に挿入するものではないから、甲第１号証記載の発明に、甲第３号証記載の発明を適用して、本件発明１について当業者が容易に発明をすることができたとすることもできない。
　さらに、甲第１〜３号証記載の発明をあわせ考えても、本件発明１について当業者が容易に発明をすることができたとすることもできない。
　そして、本件発明１はその構成により段落【００６７】に記載の効果を奏するものと認められる。
　
（２）本件発明２について
　本件発明２と甲第１号証記載の発明を対比すると、
両者は少なくとも以下の点で相違する。
相違点２：本件発明２は、「厚さ、大きさおよび該厚さ方向に対し略直交する平面部に形成されるコンタクトパッドの配置位置が異なる少なくとも２つの第１および第２のカードを保持するカードコネクタであって、」
「前記コネクタハウジングの上板または下板の一方側における前記第１のカードのコンタクトパッドに対向する面に設けられ、該第１のカードのコンタクトパッドと接触する接点部を有する第１のコンタクト端子と、
　前記コネクタハウジングの前記第１のカードのコンタクトパッドに対向する面に設けられ、前記第２のカードのコンタクトパッドと接触する接点部を、該コネクタハウジングにおける前記第１のコンタクト端子の接点部の位置に対し前記第２のカードの着脱方向に沿って離隔し異なる位置に有する第２のコンタクト端子と、を具備する」のに対し、
甲第１号証記載の発明は、メモリーカード３とハードディスクドライブパッケージ（ＨＤＤパッケージ）４に接続されるべきコネクタ装置１であって、
メモリーカード３の前面３ａに、コネクタ装置１のピンコンタクト群３６，３８が嵌合すべきＩ／Ｏコネクタが設けられ、
ＨＤＤパッケージ４は、薄型ＨＤＤが収納された薄型のハウジング４１が設置されたベースプレート４３の前面４３ａに、コネクタ装置１の下段側のピンコンタクト群４０が嵌合すべきＩ／Ｏコネクタが設けられ、
コネクタ装置１は、ハウジング１２と、その長さ方向の一端に連結されたコネクタボディ１４とを備え、
コネクタボディ１４は、三組の導電金属製のピンコンタクト群を有する点。
　
　以下、相違点２について検討する。
　甲第２号証記載の発明については、上記「（１）本件発明１について」で検討したと同様に、甲第１号証記載の発明に、甲第２号証記載の発明を適用して、本件発明２について当業者が容易に発明をすることができたということはできない。
　甲第３号証には、厚さ、大きさおよび外部接続端子の位置が異なるＩＣカード３０およびＲＡＭカード４０をそれぞれ位置決め収納する複数のカード収納部をその面積領域の少なくとも一部分を重複させて形成するカードホルダ１１と、
このカードホルダ１１をカードホルダ格納空間１０内に格納可能とするとともに、前記機器本体のカードホルダ格納空間１０の上部に、前記カードホルダに保持されて機器本体内に装着される前記ＩＣカード３０およびＲＡＭカード４０の各外部接続端子３１，４１とそれぞれ対応するメモリカード接続端子１６，１７を設けた小型電子機器が示されている。
　しかしながら、甲第１号証記載の発明は、メモリーカード３とＨＤＤパッケージ４に接続されるべきコネクタ装置１であり、メモリーカード３とＨＤＤパッケージ４の前面に設けられるＩ／Ｏコネクタ嵌合される、コネクタ装置１の長さ方向の一端に設けられたピンコンタクト群を有するものであって、２種類のカードの対応するものではなく、コネクタ装置１に設けられるピンの位置も甲第３号証記載の発明とも本件発明２とも異なっている。その上、甲第３号証記載の発明はカードホルダ１１にＩＣカード３０およびＲＡＭカード４０を収納し、このカードホルダ１１をカードホルダ格納空間１０内に格納可能とするものであって、直接カードをカードホルダ格納空間１０に挿入するものではないから、甲第１号証記載の発明に、甲第３号証記載の発明を適用して、本件発明２について当業者が容易に発明をすることができたとすることもできない。
　さらに、甲第１〜３号証記載の発明をあわせ考えても、本件発明２について当業者が容易に発明をすることができたとすることもできない。
　そして、本件発明２はその構成により段落【００６７】に記載の効果を奏するものと認められる。
　
（３）本件発明３について
　本件発明３は、本件発明１または２の構成要件をすべて引用し、さらに請求項３に記載の構成要件を付加するものである。そして、上記（１）本件発明１について及び（２）本件発明２についてで述べた通り、本件発明１及び２について甲第１〜３号証に記載の発明に基づいて当業者が容易に発明をすることができたとすることができないのであるから、本件発明３についても、甲第１〜３号証に記載の発明に基づいて当業者が容易に発明をすることができたとすることができない。
　
５．むすび
　以上のとおりであるから、請求項１〜３に係る発明の特許は、特許異議申立ての理由及び証拠方法によっては取り消すことはできない。
　また、他に請求項１〜３に係る発明の特許を取り消すべき理由を発見しない。
　よって、結論のとおり決定する。
【異議決定日】
平成１７年１月１２日（２００５．１．１２）